(57)【要約】【課題】無線により電力供給が可能なデータ処理装置において、当該無線が原因となって生じる誤動作等の不測の事態が回避できるようにすることである。【解決手段】外部接続装置１００には、アンテナ部２０５の周囲にシールド部Ａが設けられている。従って、電力供給を行う際にアンテナ部２０５が外部接続装置１００の電力供給用電磁波有効領域Ｒにある場合には、当該電力供給用電磁波がデータ処理装置２００の各部に与える影響を十分抑制できる。【選択図】          図１
2004252562.tif 000002
【特許請求の範囲】
【請求項１】
電力供給用電磁波を受信して誘導起電力を発生させるアンテナ部を備え、該アンテナ部に発生する誘導起電力を用いて動作するデータ処理装置であって、
自装置が備える各構成部のうち前記アンテナ部と異なる他の構成部を前記電力供給用電磁波から遮蔽するためのシールド部を設けたことを特徴とするデータ処理装置。
【請求項２】
電力供給用電磁波を受信して誘導起電力を発生させる電力受信用アンテナを具備した記録媒体を着脱自在に備え、装着された該記録媒体に発生する誘導起電力を用いて動作可能なデータ処理装置であって、
自装置が備える各構成部のうち装着された前記記録媒体とは異なる他の構成部を前記電力供給用電磁波から遮蔽するためのシールド部を設けたことを特徴とするデータ処理装置。
【請求項３】
前記記録媒体の装着時に、該記録媒体に対するアクセス要求が外部装置から入力されると、当該アクセス要求に応じるか否かを前記記録媒体に指示する制御部を備えたことを特徴とする請求項２に記載のデータ処理装置。
【請求項４】
複数の電源から電力供給が可能な場合、該複数の電源の各々に対し電力供給の安定度を検出し、該検出された安定度に基づいて最も安定して電力の供給が可能な電源を選択するよう制御する制御部を備えたことを特徴とする請求項１又は２に記載のデータ処理装置。
【請求項５】
前記制御部は、
複数の電源から電力供給が可能な場合、該複数の電源の各々に対し電力供給の安定度を検出し、該検出された安定度に基づいて最も安定して電力の供給が可能な電源を選択するよう制御することを特徴とする請求項３に記載のデータ処理装置。
【請求項６】
電力供給用電磁波を受信して誘導起電力を発生させる電力受信用アンテナと、該電力受信用アンテナに発生した誘導起電力を充電可能な充電池セルとを具備したバッテリを着脱自在に備え、装着された該バッテリにより供給される電力を用いて動作可能なデータ処理装置であって、
自装置が備える各構成部のうち装着された前記バッテリとは異なる他の構成部を前記電力供給用電磁波から遮蔽するためのシールド部を設けたことを特徴とするデータ処理装置。
【請求項７】
電力供給用電磁波を受信して誘導起電力を発生させる電力受信用アンテナと、該電力受信用アンテナに発生した誘導起電力を充電可能な充電池セルとを具備したバッテリを着脱自在に備え、装着された該バッテリにより供給される電力を用いて動作可能なデータ処理装置であって、
前記バッテリの装着時に該バッテリと異なる他の構成部を前記電力供給用電磁波から遮蔽するためのシールド部を当該バッテリ内に設けたことを特徴とするデータ処理装置。
【請求項８】
前記バッテリ内に生じた誘導起電力を直接用いて自装置を動作させるよう制御する電源制御部を備えたことを特徴とする請求項６又は７に記載のデータ処理装置。
【請求項９】
複数の電源から電力供給が可能な場合、該複数の電源の各々に対し電力供給に係る安定度を検出し、該検出された安定度に基づいて最も安定して電力供給が可能な電源を選択するよう制御する制御部を備えたことを特徴とする請求項６〜８のうち何れか一項に記載のデータ処理装置。
【発明の詳細な説明】
【０００１】
【発明の属する技術分野】
本発明は、無線により電力供給が可能なデータ処理装置に関する。
【０００２】
【従来の技術】
近時、静止画、動画、音声等のコンテンツデータを、ＰＣを介することなく、直接無線によりデータ送信が可能なデジタルカメラやプリンタ等のデータ処理装置が考案されている（例えば、特許文献１参照。）。更に、このようなデータ処理装置に対し外部機器から無線により電力供給が行える技術も開発されつつある。
【０００３】
【特許文献１】
特許第３２７３１９２号公報
【０００４】
【発明が解決しようとする課題】
しかし、上記従来の技術には、以下に示す問題点がある。すなわち、デジタルカメラやプリンタ等のデータ処理装置が外部機器から無線で電力供給される際、電力供給に用いる電磁波（以下、電力供給用電磁波という。）がある程度の指向性を有しているとしても電磁波自体の強度が大きいため、データ処理装置が電力供給用電磁波の影響を受けて誤動作等の不測の事態を招く恐れが生じる。
【０００５】
本発明の課題は、無線により電力供給が可能なデータ処理装置において、当該無線が原因となって生じる誤動作等の不測の事態が回避可能なデータ処理装置を提供することである。
【０００６】
【課題を解決するための手段】
上記課題を解決するため、請求項１に記載の発明は、
電力供給用電磁波を受信して誘導起電力を発生させるアンテナ部を備え、該アンテナ部に発生する誘導起電力を用いて動作するデータ処理装置であって、
自装置が備える各構成部のうち前記アンテナ部と異なる他の構成部を前記電力供給用電磁波から遮蔽するためのシールド部を設けたことを特徴とする。
【０００７】
また、上記課題を解決するため、請求項２に記載の発明は、
電力供給用電磁波を受信して誘導起電力を発生させる電力受信用アンテナを具備した記録媒体を着脱自在に備え、装着された該記録媒体に発生する誘導起電力を用いて動作可能なデータ処理装置であって、
自装置が備える各構成部のうち装着された前記記録媒体とは異なる他の構成部を前記電力供給用電磁波から遮蔽するためのシールド部を設けたことを特徴とする。
【０００８】
更に、請求項３に記載の発明のように、請求項２に記載の発明において、
前記記録媒体の装着時に、該記録媒体に対するアクセス要求が外部装置から入力されると、当該アクセス要求に応じるか否かを前記記録媒体に指示する制御部を備えるのが好ましい。
【０００９】
更に、請求項４に記載の発明のように、請求項１又は２に記載の発明において、
複数の電源から電力供給が可能な場合、該複数の電源の各々に対し電力供給の安定度を検出し、該検出された安定度に基づいて最も安定して電力の供給が可能な電源を選択するよう制御する制御部を備えるのが好ましい。
【００１０】
更に、請求項５に記載の発明のように、請求項３に記載の発明において、
前記制御部は、
複数の電源から電力供給が可能な場合、該複数の電源の各々に対し電力供給の安定度を検出し、該検出された安定度に基づいて最も安定して電力の供給が可能な電源を選択するよう制御するのが好ましい。
【００１１】
また、上記課題を解決するため、請求項６に記載の発明は、
電力供給用電磁波を受信して誘導起電力を発生させる電力受信用アンテナと、該電力受信用アンテナに発生した誘導起電力を充電可能な充電池セルとを具備したバッテリを着脱自在に備え、装着された該バッテリにより供給される電力を用いて動作可能なデータ処理装置であって、
自装置が備える各構成部のうち装着された前記バッテリとは異なる他の構成部を前記電力供給用電磁波から遮蔽するためのシールド部を設けたことを特徴とする。
【００１２】
また、上記課題を解決するため、請求項７に記載の発明は、
電力供給用電磁波を受信して誘導起電力を発生させる電力受信用アンテナと、該電力受信用アンテナに発生した誘導起電力を充電可能な充電池セルとを具備したバッテリを着脱自在に備え、装着された該バッテリにより供給される電力を用いて動作可能なデータ処理装置であって、
前記バッテリの装着時に該バッテリと異なる他の構成部を前記電力供給用電磁波から遮蔽するためのシールド部を当該バッテリ内に設けたことを特徴とする。
【００１３】
更に、請求項８に記載の発明のように、請求項６又は７に記載の発明において、
前記バッテリ内に生じた誘導起電力を直接用いて自装置を動作させるよう制御する電源制御部を備えるのが好ましい。
【００１４】
更に、請求項９に記載の発明のように、請求項６〜８のうち何れか一項に記載の発明において、
複数の電源から電力供給が可能な場合、該複数の電源の各々に対し電力供給に係る安定度を検出し、該検出された安定度に基づいて最も安定して電力供給が可能な電源を選択するよう制御する制御部を備えるのが好ましい。
【００１５】
従って、電力供給用電磁波を遮蔽可能なシールド部を設けたので、アンテナ部が電力供給用電磁波有効領域Ｒにある場合には、電力供給用電磁波がデータ処理装置の各構成部に与える影響を十分抑制できる。
【００１６】
【発明の実施の形態】
＜第１の実施例＞
以下、第１の実施例について説明する。
まず、図１を参照して、データ処理装置２００について詳細に説明する。図１に、データ処理装置２００の内部構成を示す。
【００１７】
図１に示すように、データ処理装置２００は、ＰＣ、ネットワーク機器、プリンタ等と接続された外部接続装置１００との間でデータ信号や電力供給用電磁波の送受信を行う。以下、データ処理装置２００をデジタルカメラに想定して説明する。
【００１８】
外部接続装置１００から送信される電力供給用電磁波は、十分に狭い指向性を有し、電力供給用電磁波有効領域Ｒ内でのみ電力供給可能とする。従って、ユーザは、外部接続装置１００からの電力供給用電磁波を用いてデータ処理装置２００に電力供給しようとする際には、データ処理装置２００のアンテナ部２０５が備える図示しない電力受信用アンテナが上記外部接続装置１００の筐体表面の電力供給範囲に位置するようにデータ処理装置２００を外部接続装置１００の筐体表面に載置する必要がある。
【００１９】
次に、データ処理装置２００について説明する。
図１に示すように、データ処理装置２００は、レンズ部２０１、ＣＣＤ２０２、プロセッサ２０３、無線通信制御部２０４、アンテナ２０５、データ格納部２０６、電源制御部２０８、バッテリ２０９、制御部２１０、メモリ２１１、操作部２１２、表示部２１３等を備えて構成される。
【００２０】
レンズ部２０１は、撮像レンズ等の各種レンズを備えると共に、制御部２１０による制御に基づき当該レンズを移動させてフォーカス調整等を行うためのレンズ駆動装置を備える（何れも、図示略。）
【００２１】
ＣＣＤ２０２は、レンズ部２０１を介して入射された撮像画像を電気信号に光電変換し、更に当該電気信号をデジタルデータに変換し、プロセッサ２０３は、ＣＣＤ２０２や無線通信制御部２０４から入力された画像や音声等のコンテンツデータの圧縮・伸長を行う。
【００２２】
なお、データ処理装置２００は、図示しない音声入力部を備えても良く、この場合、プロセッサ２０３は、当該音声入力部から出力された音声データを圧縮する。ここで、上記音声入力部は、マイクと当該マイクから入力されたアナログ音声信号をデジタル音声データに変換するＡ／Ｄ変換器とを備える（何れも、図示略。）。
【００２３】
無線通信制御部２０４は、アンテナ部２０５を介して送受信される静止画、動画又は音声等のコンテンツデータを表す各種デジタル信号や各種アナログ信号等（以下、データ信号という。）に対する変調・復調を行う。
【００２４】
アンテナ部２０５は、外部接続装置１００との間でデータ信号を無線で送受信すると共に、電力供給用電磁波を無線で受信し、当該受信した電力を電源制御部２０８に出力する。アンテナ部２０５は、電力供給用電磁波を受信すると、誘導起電力を発生する。
【００２５】
ここで、アンテナ部２０５は、データ信号を送受信するための通信アンテナと、電力供給用電磁波を受信するための電力受信用アンテナとを各々別体として備えるようにしても良く、また、同一アンテナを用いてデータ信号の送受信と電力供給用電磁波の受信とを行うようにしても良い。
【００２６】
データ処理装置２００の図示しない筐体内における上記アンテナ部２０５の周囲には電力供給用電磁波を遮蔽可能なシールド部Ａが設けられている。このシールド部Ａは、電力供給時にアンテナ部２０５が外部接続装置１００の電力供給用電磁波有効領域Ｒ内にある場合には、当該電力供給用電磁波がデータ処理装置２００の各構成部に与える影響を十分抑制できるように設計されている。ここで、シールド部Ａは、放熱・断熱・絶縁効果を有する構成・素材によって成る。
【００２７】
データ格納部２０６は、プロセッサ２０３から入力された画像や音声等のコンテンツデータを格納する書き込み／読み出し自在なメモリである。
【００２８】
電源制御部２０８は、制御部２１０による制御に基づきアンテナ部２０５に生じた誘導起電力やをバッテリ２０９やデータ処理装置２００の各構成部に振り分けると共に、バッテリ２０９や電源２０９ａから供給される電力をデータ処理装置２００の各構成部に供給する。ここで、バッテリ２０９は、充電可能なバッテリであり、データ処理装置２００に対し着脱自在に設けられている。
【００２９】
電源制御部２０８は、制御部２１０による制御に基づき、電力供給用電磁波によりアンテナ部２０５に生じた誘導起電力や電源２０９ａにより供給される電力をバッテリ２０９の充電に充てる。
【００３０】
電源制御部２０８は、制御部２１０による指示に応じてバッテリ２０９の充電量を検出し、当該検出結果を制御部２１０に送信する。
【００３１】
制御部２１０は、メモリ２１１に格納された各種プログラムを実行してデータ処理装置２００を統括的に制御する。
【００３２】
制御部２１０は、操作部２１２を介してデータ処理装置２００がオン／オフ／スリープの何れかの状態に設定されると、当該設定に応じて電源制御部２０８を制御する。
【００３３】
メモリ２１１は、制御部２１０により実行される各種プログラムや当該プログラム実行時に必要な各種データを格納する。
【００３４】
操作部２１２は、図示しない各種入力キー、例えば、撮影指示を入力するためのレリーズスイッチやデータ処理装置２００をオン／オフ／スリープの何れかの状態に設定するための電源選択部（何れも図示略。）を備える。操作部２１２は、これら各種入力キーが押下されることによりデータ処理装置２００の動作制御を行うための各種指示入力が行われる。
【００３５】
ここで、データ処理装置２００に対するオン／オフ／スリープの各状態について説明する。オン状態とは、データ処理装置２００に電源が投入され（すなわち、図示しない電源スイッチがオンされて電力が供給され）、データ処理装置２００が有する機能が何れも使用可能な状態であり、オフ状態とは、データ処理装置２００の電源が断となっており（すなわち、上記電源スイッチがオフされて電力供給が停止し）、データ処理装置２００が有する機能の何れも使用不可能な状態であり、スリープ状態とは、低電力モードによる状態であり、操作部２１２の何れかの入力キーが操作されると、当該キー操作がトリガとなりデータ処理装置２００はオン状態となってデータ処理装置２００が有する全ての機能が使用可能となる。スリープ状態からオン状態に移行する際、制御部２１０は、データ処理装置２００をオフ状態の場合と同様に始めから起動させることなく（すなわち、ブート等の初期処理を行うことなく）短時間でオン状態に移行できる。
【００３６】
表示部２１３は、図示しないＬＣＤ（Ｌｉｑｕｉｄ  Ｃｒｙｓｔａｌ  Ｄｉｓｐｌａｙ）等の表示装置を備え、制御部２１０から送信される各種表示データを当該表示装置に表示する。また、表示部２１３は、レンズ部２０１を介して入力された撮像画像を連続的に表示するファインダとしての機能も有する。
【００３７】
以上説明したように、外部接続装置１００には、アンテナ部２０５の周囲にシールド部Ａが設けられている。従って、アンテナ部２０５が外部接続装置１００の電力供給用電磁波有効領域Ｒにある場合には、電力供給用電磁波がデータ処理装置２００の各構成部に与える影響を十分抑制できる。
【００３８】
なお、本第１の実施例における記述は、本発明に係るデータ処理装置の一例を示すものであり、これに限定されるものではない。本第１の実施例におけるデータ処理装置２００の細部構成及び詳細動作に関しては、本発明の趣旨を逸脱しない範囲で適宜変更可能である。
【００３９】
例えば、本第１の実施例においては、シールド部Ａをアンテナ部２０５の周囲に設け、これにより、電力供給時にアンテナ部２０５が電力供給用電磁波有効領域Ｒ内にある場合には当該電力供給用電磁波がデータ処理装置２００の各構成部に与える影響を十分抑制可能としたが、これに限らず、データ処理装置２００の構成部のうちアンテナ部２０５以外の他の構成部をシールド部Ａで覆い電力供給用電磁波を遮蔽するのがより好ましい。この場合、アンテナ部２０５が電力供給用電磁波有効領域Ｒ内にあるか否かにかかわらず、電力供給用電磁波の影響を十分抑制できる。
【００４０】
また、データ処理装置２００は、記録媒体を着脱自在に備えるようにしても良い。この場合、制御部２１０は、データ格納部２０６に格納された（或いは、撮影により作成した）データを当該記録媒体に書き込んだり、又、記録媒体に書き込まれたデータを読み取ってデータ格納部２０６に格納する。
【００４１】
また、ケーブル（有線）を用いてデータの送受信を行うための図示しない有線通信部を備えても良い。有線通信部は、外部接続装置１００との間で有線によるデータの送受信を行うため、例えば、ＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）等によりデータの送受信を行うためのインターフェースを備える。
【００４２】
＜第２の実施例＞
以下、第２の実施例について説明する。
まず、図２を参照して、データ処理装置２００ａの構成について説明する。図２に、データ処理装置２００ａの内部構成を示す。なお、図２に示す各構成部のうち、図１に示す各構成部と同じものについては、簡略化のため、同一符号を付して説明を省略する。
【００４３】
図２に示すように、データ処理装置２００ａは、レンズ部２０１、ＣＣＤ２０２、プロセッサ２０３、データ格納部２０６、電源制御部２０８、バッテリ２０９、制御部２１０ａ、メモリ２１１ａ、操作部２１２、表示部２１３を備えて構成されると共に、データ信号の送受信や電力供給用電磁波の受信が可能な記録媒体３００を着脱自在に備える（図３参照。）。
【００４４】
データ処理装置２００ａは、図示しない記録媒体３００用のスロットを備え、記録媒体３００が当該スロットに装着された際に記録媒体３００との間でデータの送受信や給電が行われる。
【００４５】
データ処理装置２００ａの図示しない筐体内における上記記録媒体３００用のスロットの周囲には電力供給用電磁波を遮蔽可能なシールド部Ｂが設けられている。このシールド部Ｂは、電力供給時に記録媒体３００が外部接続装置１００の電力供給用電磁波有効領域Ｒ内にある場合、当該電力供給用電磁波がデータ処理装置２００ａの各構成部に与える影響を十分抑制できるように設計されている。ここで、シールド部Ｂは、放熱・断熱・絶縁効果を有する構成・素材によって成る。
【００４６】
制御部２１０ａは、メモリ２１１ａに格納された各種プログラムを実行してデータ処理装置２００ａを統括的に制御する。特に、制御部２１０ａは、図４のフローチャートに示すデータ通信処理を行う。
【００４７】
制御部２１０ａは、記録媒体３００がデータ送受信可能に装着されている際、記録媒体３００との間でデータの送受信や給電を行う。
【００４８】
制御部２１０ａは、操作部２１２を介してデータ処理装置２００ａがオン／オフ／スリープの何れかの状態に設定されると、当該設定に応じて電源制御部２０８を制御する。
【００４９】
メモリ２１１ａは、制御部２１０ａにより実行される各種プログラムを格納すると共に、当該プログラムの実行時に必要な各種データを格納する。メモリ２１１ａは、特に、図４のフローチャートに示す処理を行うためのプログラムを格納する。
【００５０】
次に、図３を参照して、記録媒体３００の構成を説明する。図３に、記録媒体３００の内部構成を示す。
【００５１】
図３に示すように、記録媒体３００は、電力受信用アンテナ３０１、電力コントローラ３０２、電力供給用端子３０３、通信アンテナ３０４、通信コントローラ３０５、メモリ３０６、メモリ制御部３０７、データ用接続端子３０８等を備えて構成される。
【００５２】
電力受信用アンテナ３０１は、外部接続装置１００から出力された電力供給用電磁波により誘導起電力が生じ、電力コントローラ３０２は、当該誘導起電力を記録媒体３００の各構成部へ分配する、或いは電力供給用端子３０３に出力する。
【００５３】
通信アンテナ３０４は、外部接続装置１００との間でデータ信号を送受信し、通信コントローラ３０５は、通信アンテナ３０４により送受信されるデータ信号に対し、変調・復調処理を施す。
【００５４】
メモリ３０６は、送受信される各種データを格納する。メモリ３０６は、メモリ制御部３０７による制御に基づき、データの書込み／消去が自在に行える。
【００５５】
メモリ制御部３０７は、記録媒体３００を統括的に制御する。特に、メモリ制御部３０７は、図５のフローチャートに示すデータ通信処理を行う。
【００５６】
メモリ制御部３０７は、記録媒体３００に固有のパスワード（或いはＩＤデータ。）を格納する。
【００５７】
メモリ制御部３０７は、記録媒体３００がデータ送受信可能にデータ処理装置２００に装着されている場合、データ通信用接続端子３０８を介して入力されるデータ処理装置２００からの指示に応じてメモリ３０６に対するデータの書き込み／読み取り／送信／消去等の処理を行う。また、この場合、メモリ制御部３０７は、データ通信用接続端子３０８を介して入力されるデータ処理装置２００からの指示に応じて電力コントローラ３０２を制御し、誘導起電力を電力供給用端子３０３を介してデータ処理装置２００との間で電力の受給を行う。
【００５８】
次に、図４を参照して、データ処理装置２００ａの動作を説明する。図４は、データ処理装置２００ａによるデータ通信処理を説明するフローチャートである。
【００５９】
制御部２１０ａは、まず、記録媒体３００が装着されているか否かを判定する（ステップＳ１０）。
【００６０】
ステップＳ１０の段階で、制御部２１０ａは、記録媒体３００が装着されていない場合には（ステップＳ１０；Ｎｏ）、当該データ通信処理を終了し、記録媒体３００が装着されている場合には（ステップＳ１０；Ｙｅｓ）、記録媒体３００との間でデータの送受信が可能か否かを判定する（ステップＳ１１）。
【００６１】
ステップＳ１１の段階で、制御部２１０ａは、記録媒体３００との間でデータの送受信が行えない場合には（ステップＳ１１；Ｎｏ）、当該データ通信処理を終了し、記録媒体３００との間でデータの送受信が可能な場合（ステップＳ１１；Ｙｅｓ）、記録媒体３００が外部接続装置１００から電力供給用電磁波を受信しているか否かを判定する（ステップＳ１２）。
【００６２】
ステップＳ１２の段階で、制御部２１０ａは、記録媒体３００が電力供給用電磁波を受信していない場合（ステップＳ１２；Ｎｏ）、電源制御部２０８を制御して記録媒体３００に動作電力を供給し、外部接続装置１００との間でデータ信号の送受信を行う（ステップＳ１３）。
【００６３】
ステップＳ１２の段階で、制御部２１０ａは、記録媒体３００が電力供給用電磁波を受信している場合（ステップＳ１２；Ｙｅｓ）、電力供給用電磁波により記録媒体３００内に生じた誘導起電力を用いてデータ処理装置２００ａを動作させるよう電源制御部２０８を制御して（ステップＳ１４）、外部接続装置１００との間でデータ信号の送受信の送受信を行う（ステップＳ１５）。
【００６４】
ステップＳ１５の後、制御部２１０ａは、バッテリ２０９が装着されているか否かを判定し（ステップＳ１６）、バッテリ２０９が装着されていない場合（ステップＳ１６；Ｎｏ）、当該データ通信処理を終了し、バッテリ２０９が装着されている場合（ステップＳ１６；Ｙｅｓ）、電源制御部２０８に問い合わせてバッテリ２０９が充電完了状態であるか否か、すなわち、バッテリ２０９の充電率が１００％であるか否かを判定する（ステップＳ１７）。
【００６５】
ステップＳ１７の段階で、バッテリ２０９が充電完了状態の場合（ステップＳ１７；Ｙｅｓ）、制御部２１０ａは、操作部２１２を介して入力された指示に応じて電源制御部２０８を制御してデータ処理装置２００ａをオン／オフ／スリープの何れかの状態に設定する（ステップＳ１８）。
【００６６】
ステップＳ１７の段階で、バッテリ２０９が充電完了状態でない場合、すなわち、バッテリ２０９の充電率が１００％未満の場合（ステップＳ１７；Ｎｏ）、制御部２１０ａは、外部接続装置１００から記録媒体３００を介して供給される電力によってバッテリ２０９を充電する（ステップＳ１９）。この時、制御部２１０ａは、充電時間を設定するためのタイマー（例えば、１０分。）をセットする。
【００６７】
その後、制御部２１０ａは、タイマーがタイムアップするまで（例えば、１０分経過するまで）バッテリ２０９に対する充電を継続し（ステップＳ２０；Ｎｏ）、タイマーがタイムアップすると（ステップＳ２０；Ｙｅｓ）、ステップＳ１７に移行し、電源制御部２０８に再度問い合わせてバッテリ２０９が充電完了状態であるか否かを再判定し、バッテリ２０９が充電完了状態となるまでステップＳ１７、Ｓ１９、Ｓ２０の処理を繰り返す。
【００６８】
次に、図５を参照して、記録媒体３００の動作を説明する。図５は、記録媒体３００によるデータ通信処理を説明するフローチャートである。
【００６９】
記録媒体３００は、データ処理装置２００ａにデータの送受信が可能に装着されているとする。
【００７０】
メモリ制御部３０７は、外部接続装置１００からのアクセス要求、すなわち、外部接続装置１００との間でデータ信号の送受信を行う旨の指示を受信すると、データ処理装置２００ａがオン状態（電源オン）であるか否かをデータ処理装置２００ａの電源制御部２０８に問い合わせる。
【００７１】
ステップＳ３１の段階で、データ処理装置２００ａがオン状態の場合（ステップＳ３１；Ｙｅｓ）、メモリ制御部３０７は、データ処理装置２００ａの制御部２１０ａに対し、データ処理装置２００ａからアクセス要求があった旨を表示部２１３に表示するよう指示し（ステップＳ３２）、その後、制御部２１０ａから送信される指示に応じて動作する（ステップＳ３３）。
【００７２】
ステップＳ３１に戻って説明する。データ処理装置２００ａがオン状態でない場合（ステップＳ３１；Ｎｏ）、メモリ制御部３０７は、外部接続装置１００に対してパスワード（或いはＩＤデータ。）を送信するよう要求する（ステップＳ３４）。
【００７３】
メモリ制御部３０７は、上記パスワード（或いはＩＤデータ。）が外部接続装置１００から送信されたか否かを監視し（ステップＳ３５）、パスワード（或いはＩＤデータ。）が送信されると（ステップＳ３５；Ｙｅｓ）、送信されたパスワードと、上記メモリ制御部３０７の図示しないメモリに予め格納された記録媒体３００に固有のパスワードとが一致するか否かを判定する（ステップＳ３６）。
【００７４】
ステップＳ３６の段階で、メモリ制御部３０７は、外部接続装置１００から送信されたパスワードと記録媒体３００に固有のパスワードとが一致しない場合（ステップＳ３６；Ｎｏ）、当該データ通信処理を終了し、上記送信されたパスワードと記録媒体３００に固有のパスワードとが一致する場合（ステップｓ３６；Ｙｅｓ）、外部接続装置１００にアクセスを許可し、外部接続装置１００との間でデータ信号の送受信を行う（ステップＳ３７）。このようなパスワードによる認証処理を行うことにより、記録媒体３００に対するセキュリティが確保できる。
【００７５】
以上説明したように、記録媒体３００は、外部接続装置１００との間でデータ信号の送受信が行えると共に、電力供給用電磁波による電力供給が行える。データ処理装置２００ａは、この記録媒体３００を介して外部接続装置１００との間でデータ信号の送受信が行えると共に、電力供給用電磁波による電力供給が可能となっている。
また、記録媒体３００は、データ処理装置２００ａがオン状態でない場合、外部接続装置１００からアクセス要求があると、パスワードの送信を外部接続装置１００に要求し、外部接続装置１００から送信されたパスワードと記録媒体３００に固有のパスワードとが一致する場合にのみ、外部接続装置１００にアクセスを許可してデータ信号の送受信を行う。これにより、装置内のデータが使用者の意図に反して取り出されてしまうといった危険を阻止できる。
また、データ処理装置２００ａの図示しない筐体内における記録媒体３００用のスロットの周囲には電磁波を遮蔽可能なシールド部Ｂが設けられ、このシールド部Ｂは、電力供給時に記録媒体３００が外部接続装置１００の電力供給用電磁波有効領域Ｒ内にある場合、当該電力供給用電磁波がデータ処理装置２００ａの各構成部に与える影響を十分抑制できるように設けられている。
【００７６】
従って、記録媒体３００を用いて電力供給用電磁波を受信して電力の供給を行うような場合でも、当該電力供給用電磁波による影響が十分に抑制可能である。
【００７７】
なお、本第２の実施例における記述は、本発明に係るデータ処理装置の一例を示すものであり、これに限定されるものではない。本第２の実施例におけるデータ処理装置２００ａ及び記録媒体３００の細部構成及び詳細動作に関しては、本発明の趣旨を逸脱しない範囲で適宜変更可能である。
【００７８】
例えば、本第２の実施例においては、シールド部Ｂを記録媒体３００用のスロットの周囲に設け、これにより電力供給時に記録媒体３００が電力供給用電磁波有効領域Ｒ内にある場合には当該電力供給用電磁波がデータ処理装置２００ａの各構成部に与える影響を十分に抑制可能としたが、これに限らず、データ処理装置２００ａの各構成部のうち記録媒体３００のスロット以外の他の構成部をシールド部Ｂで覆い電力供給用電磁波を遮蔽するのがより好ましい。この場合、当該スロット（すなわち、記録媒体３００。）が電力供給用電磁波有効領域Ｒ内にあるか否かにかかわらず、電力供給用電磁波の影響を十分抑制できる。
【００７９】
また、記録媒体３００はデータ処理装置２００ａに装着されて用いられるとしたが、これに限らず、記録媒体３００が単独で外部接続装置１００との間でデータ通信や電力供給用電磁波による電力供給を行うようにしても良い。
【００８０】
＜第３の実施例＞
以下、第３の実施例について説明する。
まず、図６を参照して、データ処理装置２００ｂについて詳細に説明する。図６は、データ処理装置２００ｂの内部構成を示す。なお、図６に示す各構成部のうち、図１、図２に示す各構成部と同じものについては、簡略化のため、同一符号を付して説明を省略する。
【００８１】
図６に示すように、データ処理装置２００ｂは、レンズ部２０１、ＣＣＤ２０２、プロセッサ２０３、データ格納部２０６、電源制御部２０８ｂ、電源２０９ａ、制御部２１０ｂ、メモリ２１１ｂ、操作部２１２、表示部２１３を備えて構成されると共に、記録媒体３００ａ、バッテリ４００を着脱自在に備える。
【００８２】
記録媒体３００ａは、図示しない記録媒体３００ａ用のスロットを備え、当該スロットに装着されると、データ処理装置２００ｂとの間でデータの送受信が可能となる。
【００８３】
バッテリ４００は、電力受信用アンテナ４０１、充電制御部４０２、充電池セル４０３を備える。電力受信用アンテナ４０１は、外部接続装置１００から出力される電力供給用電磁波を受信すると誘導起電力が発生する。充電制御部４０２は、当該誘導起電力を充電池セル４０３に充電したり電源制御部２０８ｂに出力する。
【００８４】
データ処理装置２００ｂの図示しない筐体内における記録媒体３００ａのスロット及びバッテリ４００の周囲には電力供給用電磁波を遮蔽可能なシールド部Ｃが設けられている。シールド部Ｃは、電極供給時にバッテリ４００が外部接続装置１００の電力供給用電磁波有効領域Ｒ内にある場合、当該電力供給用電磁波がデータ処理装置２００ｂの各構成部に与える影響を十分に抑制できるように設計されている。ここで、シールド部Ｃは、放熱・断熱・絶縁効果を有する構成・素材によって成る。
【００８５】
制御部２１０ｂは、メモリ２１１ｂに格納された各種プログラムを実行してデータ処理装置２００ｂを統括的に制御する。特に、制御部制御部２１０ｂは、図８のフローチャートに示す電力供給処理を行う。
【００８６】
制御部２１０ｂは、記録媒体３００ａがデータ送受信可能に装着されている際、記録媒体３００ａとの間でデータの送受信を行う。
【００８７】
メモリ２１１ｂは、制御部２１０ｂにより実行される各種プログラムを格納すると共に、当該プログラムの実行時に必要な各種データを格納する。メモリ２１１ｂは、特に、図８のフローチャートに示す処理を行うためのプログラムを格納する。
【００８８】
電源制御部２０８ｂは、制御部２１０ｂによる制御に基づきバッテリ４００や電源２０９ａから供給された電力をデータ処理装置２００ｂの各構成部に供給すると共に、電源２０９ａから供給された電力をバッテリ４００の充電に充てる。
【００８９】
電源制御部２０８ｂは、制御部２１０ｂによる指示に応じてバッテリ４００の充電量を検出し、当該検出結果を制御部２１０ｂに送信する。
【００９０】
次に、図７を参照して、データ処理装置２００ｂの動作を説明する。図７は、データ処理装置２００ｂによる電力供給処理を説明するフローチャートである。ここで、バッテリ４００は、データ処理装置２００ｂに装着されているものとする。
【００９１】
制御部２１０ｂは、電力供給可能な電源を探索する（ステップＳ４０）。すなわち、制御部２１０ｂは、電源制御部２０８ｂを制御して、電源２０９ａ、充電池セル４０３、或いは外部接続装置１００から出力される電力供給用電磁波により電力受信用アンテナ４０１に発生する誘導起電力等、電力供給可能な電源の探索を行う。
【００９２】
ステップＳ４０の後、制御部２１０ｂは、上記電源の探索結果をリストアップ（メモリ２１１ｂに一時記憶）し（ステップＳ４１）、当該リストアップした電源のうち、何れの電源が最も安定して電力の供給を行えるかの安定度を検出する（ステップＳ４１）。
【００９３】
ステップＳ４１の段階で、制御部２１０ｂは、電源安定度チェック処理を行い安定した電源を選択する。この電源安定度チェック処理とは、上記リストアップした電源を試験的に（例えば、数ワット分だけ）短時間消費させた際の電圧の変動を検出するものであり、制御部２１０ｂは、この電源安定度チェック処理を行うことにより、電圧変動が最も小さな安定した電源（安定度の高い電源）を選択できる。
【００９４】
その後、制御部２１０ｂは、電源制御部２０８ｂを制御して、ステップＳ４２の段階で選択した電源により供給される電力を用いてデータ処理装置２００ｂを動作させる（ステップＳ４２）。
【００９５】
ここで、制御部２１０ｂは、電源制御部２０８ｂを制御して、ステップＳ４０〜Ｓ４２の各処理を、電力供給可能な全ての電源から供給される電力を用いて行う。
【００９６】
ステップＳ４２の後、制御部２１０ｂは、記録媒体３００ａを介して外部接続装置１００との間でデータ信号の送受信を行う（ステップＳ４３）。
【００９７】
ステップＳ４３の後、ステップＳ４２の段階で選択された電源がバッテリ４００でない場合、制御部２１０ｂは、バッテリ４００が装着されているか否かを判定し（ステップＳ４４）、バッテリ４００が装着されていない場合（ステップＳ４４；Ｎｏ）、当該データ通信処理を終了し、バッテリ４００が装着されている場合（ステップＳ４４；Ｙｅｓ）、バッテリ４００が充電完了状態であるか否か、すなわち、バッテリ４００の充電率が１００％であるか否かを判定する（ステップＳ４５）。
【００９８】
ステップＳ４５の段階で、バッテリ４００が充電完了状態の場合（ステップＳ４５；Ｙｅｓ）、制御部２１０ｂは、操作部２１２を介して入力された指示に応じて電源制御部２０８ｂを制御し、データ処理装置２００ｂをオン／オフ／スリープの何れかの状態に設定する（ステップＳ４６）。
【００９９】
ステップＳ４５の段階で、バッテリ４００が充電完了状態でない場合、すなわち、バッテリ４００の充電率が１００％未満の場合（ステップＳ４５；Ｎｏ）、制御部２１０ｂは、当該電源から供給される電力によってバッテリ２０９を充電する（ステップＳ１９）。この時、制御部２１０ａは、充電時間を設定するためのタイマー（例えば、１０分。）をセットする。
【０１００】
その後、制御部２１０ｂは、タイマーがタイムアップするまで（例えば、１０分経過するまで）バッテリ４００に対する充電を継続し（ステップＳ４８；Ｎｏ）、タイマーがタイムアップすると（ステップＳ４８；Ｙｅｓ）、ステップＳ４５に移行し、電源制御部２０８ｂに再度問い合わせてバッテリ４００が充電完了状態であるか否かを再判定し、バッテリ４００が充電完了状態となるまでステップＳ４５、Ｓ４７、Ｓ４８の処理を繰り返す。
【０１０１】
以上説明したように、データ処理装置２００ｂは、外部接続装置１００から出力される電力供給用電磁波により電力の供給が行えるバッテリ４００を着脱自在に備え、バッテリ４００から供給される電力を利用して動作できる。
【０１０２】
従って、バッテリ４００を用いて電力供給信号を受信して電力の供給を行うような場合でも、データ処理装置２００ｂの各構成部に対する当該電力供給用電磁波の影響が十分に抑制可能である。
【０１０３】
なお、本第３の実施例における記述は、本発明に係るデータ処理装置の一例を示すものであり、これに限定されるものではない。本第３の実施例におけるデータ処理装置２００ｂ及びバッテリ４００の細部構成及び詳細動作に関しては、本発明の趣旨を逸脱しない範囲で適宜変更可能である。
【０１０４】
例えば、本第３の実施例では、シールド部Ｃを記録媒体３００ａ及びバッテリ４００の周囲に設け、これにより電力供給時にバッテリ４００が電力供給用電磁波有効領域Ｒ内にある場合には当該電力供給用電磁波がデータ処理装置２００ｂの各構成部に与える影響を十分抑制可能としたが、これに限らず、データ処理装置２００ｂの各構成部のうちバッテリ４００以外の他の構成部をシールド部Ｃで覆い電力供給用電磁波を遮蔽するのがより好ましい。この場合、バッテリ４００が電力供給用電磁波有効領域Ｒ内にあるか否かにかかわらず、電力供給用電磁波の影響を十分抑制できる。
【０１０５】
また、データ処理装置２００ｂは、データ信号の送受信を行う記録媒体３００ａを着脱自在に備えるとしたが、これに限らず、記録媒体３００ａに替えてデータ信号の送受信を行うためのアンテナと当該アンテナにより送受信されるデータ信号の変調・復調を行う無線通信制御部（例えば、無線通信制御部２０４。）とを備えるようにしても良い。
【０１０６】
また、データ処理装置２００ｂは、図８に示すバッテリ４００ａを用いるようにしても良い。バッテリ４００ａは、電力受信用アンテナ４０１を除き、バッテリ４００ａの筐体内をシールド部Ｄで覆い電力供給用電磁波を遮蔽するように構成されている。なお、図８に示す各構成部のうち、図７に示す構成部と同じものについては、簡略化のため、同一符号を付して説明を省略する。
【０１０７】
バッテリ４００ａでは、電力供給用電磁波を受信する電力受信用アンテナ４０１だけがシールド部Ｄの外部に露出するように設けられ、バッテリ４００ａの他の構成部については電力供給用電磁波がシールド部Ｄにより遮蔽される。
【０１０８】
従って、バッテリ４００ａにシールド部Ｄが設けられるので、データ処理装置２００ｂにシールド部Ｃを設ける必要がなく、装置構成が簡略化・軽量化され、可搬性に優れたデータ処理装置２００ｂが提供できる。
【０１０９】
更に、データ処理装置２００ｂのシールド部Ｃとバッテリ４００ａのシールド部Ｄとを共に用いることも可能であり、このような場合、より確実に電力供給用電磁波の遮蔽が可能となる。
【０１１０】
以上説明した第１〜第３の実施例では、静止画、動画又は音声等のコンテンツを表す各種デジタル信号や各種アナログ信号等を電波に乗せて送受信するものとしたが、これに限らず、赤外光（ＩｒＲＣ（Ｉｎｆｒａｒｅｄ  Ｒｅｍｏｔｅ  Ｃｏｎｔｒｏｌ））や音波に乗せて送受信するようにしても良い。この場合、データ処理装置２００、記録媒体３００及びバッテリ４００、４００ａは、アンテナ部２０５、通信アンテナ３０４及び電力受信用アンテナ４０１に替えて赤外光が送受信可能な素子（図示略。）や音波の送受信が可能な装置（図示略。）をそれぞれ備え、無線通信制御部２０４、通信コントローラ３０５及び充電制御部４０２は信号を赤外光や音波に乗せて送受信するための変調・復調機能を有する。
【０１１１】
また、外部接続装置１００については、強度の大きい電力供給用電磁波が他の機器に与える影響を抑制するため、データ処理装置２００、記録媒体３００及びバッテリ４００、４００ａのアンテナ部２０５、通信アンテナ３０４及び電力受信用アンテナ４０１が電力供給用電磁波有効領域Ｒにない場合、当該電力供給用電磁波の出力を行わないような機能を有しているのが好ましい。
【０１１２】
また、バッテリ２０９、４００、４００ａの充電完了状態を充電率１００％としたが、これに限らず、８０％、９０％等、自由に設定可能である。この場合、ユーザにより指定された充電率を用いるようにしても良い。
【０１１３】
【発明の効果】
本発明によれば、電力供給用電磁波を遮蔽可能なシールド部を設けたので、アンテナ部が電力供給用電磁波有効領域Ｒにある場合には、電力供給用電磁波がデータ処理装置の各構成部に与える影響を十分抑制できる。
【図面の簡単な説明】
【図１】本発明を適用したデータ処理装置の内部構成を示すブロック図である。
【図２】本発明を適用した他のデータ処理装置の内部構成を示すブロック図である。
【図３】図２に示す記録媒体の内部構成を示すブロック図である。
【図４】本発明を適用したデータ処理装置によるデータ通信処理を説明するフローチャートである。
【図５】図２に示す記録媒体によるデータ通信処理を説明するフローチャートである。
【図６】本発明を適用した他のデータ処理装置の内部構成を示すブロック図である。
【図７】図６に示すデータ処理装置による電力供給処理を説明するフローチャートである。
【図８】図６に示すバッテリの他の例を示す図である。
【符号の説明】
１００  外部接続装置
２００、２００ａ、２００ｂ  データ処理装置
２０１  レンズ部
２０２  ＣＣＤ
２０３  プロセッサ
２０４  無線通信制御部
２０５  アンテナ部
２０６  データ格納部
２０８、２０８ｂ  電源制御部
２０９、４００、４００ａ  バッテリ
２０９ａ  電源
２１０、２１０ａ、２１０ｂ  制御部
２１１、２１１ａ、２１１ｂ  メモリ
２１２  操作部
２１３  表示部
３００、３００ａ  記録媒体
３０１  電力受信用アンテナ
３０２  電力コントローラ
３０３  電力供給用端子
３０４  通信アンテナ
３０５  通信コントローラ
３０６  メモリ
３０７  メモリ制御部
３０８  データ通信用接続端子
４０１  電力受信用アンテナ
４０２  充電制御部
４０３  充電池セル
Ａ、Ｂ、Ｃ、Ｄ  シールド部
【図１】
2004252562.tif 000003
【図２】
2004252562.tif 000004
【図３】
2004252562.tif 000005
【図４】
2004252562.tif 000006
【図５】
2004252562.tif 000007
【図６】
2004252562.tif 000008
【図７】
2004252562.tif 000009
【図８】
2004252562.tif 000010